(57)【要約】      （修正有）【課題】 長期間に渡り防水性能を維持でき、かつ蓋体の繰り返しの着脱にも十分に耐えることのできる防水式電子機器の提供。【解決手段】筐体（３）と蓋体（９）との間の係合面に配設される無端シール部材（４５）を備えた防水式電子機器（１）であって、無端シール部材は、連続溝部（４５ａ）を形成するように弾性素材を用いてその横断面形状が略凹形状になるように構成され、筐体または蓋体は、無端シール部材の連続溝部を表面に露出させ、かつ両壁面（４７、４８）を収容する収容溝部（４０）を縁部に連続形成し、蓋体または筐体は、連続溝部に対して嵌入する突起部（３ｋ）を縁部に連続形成する。【選択図】  図１０
2008040348.tif 000002
【特許請求の範囲】
【請求項１】
一面が開放された筐体と、前記筐体の開放面を覆う蓋体と、前記筐体と前記蓋体との間の係合面に配設される無端シール部材と、を含む防水式電子機器であって、
前記無端シール部材は、弾性素材から構成され、前記係合面に対して垂直な面による断面形状が溝部を有する略凹形状に形成されており、
前記筐体及び前記蓋体の一方の係合面に、前記無端シール部材を収容する収容溝部が連続して形成され、
前記筐体及び前記蓋体の他方の係合面に、前記無端シール部材の前記溝部に嵌入する突起部が連続して形成され、
前記収容溝部内に前記無端シール部材が挿入されており、前記突起部を前記溝部に嵌入させることで二重のシール機能が確保されることを特徴とする防水式電子機器。
【請求項２】
前記弾性素材は、天然ゴム、化学合成ゴム、高分子樹脂素材、シリコン系ゴム、エラストマーを含むことを特徴とする請求項１に記載の防水式電子機器。
【請求項３】
前記収容溝部及び前記突起部は、前記筐体及び前記蓋体の縁部に夫々連続形成されることを特徴とする請求項１または２に記載の防水式電子機器。
【請求項４】
前記無端シール部材を、前記溝部を有する略凹形状に形成するために、底部と、前記底部の両側から延設される第１延設部と第２延設部とを有し、さらに、前記第１延設部と前記第２延設部の対向面において、第１山部および第２山部の少なくとも一方を形成し、
前記突起部が前記溝部に嵌入されると、前記第１山部および前記第２山部の少なくとも一方を回動支点として、前記第１延設部の端部および前記第２延設部の端部の少なくとも一方が前記突起部に向けて回動されることで前記シール機能がより高められることを特徴とする請求項１乃至３のいずれか１項に記載の防水式電子機器。
【請求項５】
前記筐体と前記蓋体とは樹脂材料を用いて射出成形され、前記突起部が前記無端シール部材の前記溝部に嵌入された固定状態を維持し、かつ着脱可能とするための複数の固定部を、前記筐体と前記蓋体の縁部に設けたことを特徴とする請求項１乃至４のいずれか１項に記載の防水式電子機器。
【請求項６】
前記固定部は、小ネジを含む締結部材を用いて共締めされる化粧パネルをさらに含むことを特徴とする請求項５に記載の防水式電子機器。
【請求項７】
前記防水式電子機器は、前記筐体と前記蓋体とにより防水されるデジタルカメラ、ビデオカメラを含む光学装置であり、
前記蓋体は、前記光学装置に設けられる液晶表示面を覆うために光透過性の樹脂材料を用いて射出成形され、また、前記筐体はストロボ発光面を覆うために光透過性の樹脂材料を用いて射出成形されることを特徴とする請求項１乃至６のいずれか１項に記載の防水式電子機器。
【発明の詳細な説明】
【技術分野】
【０００１】
本発明は、防水式電子機器に関する。
【背景技術】
【０００２】
光学装置として水中撮影専用の水中撮影用カメラが実用化されている。このような水中撮影用カメラは高価であることから、通常のデジタルカメラ、あるいはデジタルビデオカメラを、水中撮影用としても使用できるように専用設計された防水ケースが機種別に実用化されている。このように専用設計された防水ケースを用いることで本格的な水中撮影が可能となる。
【０００３】
これらの防水ケースによれば、指定の光学装置のレンズ部を平面ガラス面を介して外部に露出させる使用位置に装填したときに、光学装置の位置決め状態を確保するとともに、操作部を防水ケースの外部から押圧操作する押圧手段が設けられている。
【０００４】
また、防水ケースの最小面に対して直交する方向に開閉自在に設けられた蓋体を、ヒンジにより開閉自在に設けた防水ケースも提案されている。（特許文献１）
一方、デジタルカメラ市場を見ると、他社との差別化のために日常生活防水機能を備えた機種が販売されており、人気を集めている。また、近年になりＪＩＳ規格の７級程度の防水性能を備え、水深１ｍ程度の水中撮影を可能にした本格的な防水式デジタルカメラも国内カメラメーカーから販売されている。
【０００５】
さらに、ノートパソコンを防水式に構成するために筐体と蓋体とからなる防水ケースに本体を内蔵し、防水キーボードを設けた防水式ノートパソコンに代表されるような各種電子機器も販売されている。
【特許文献１】特開２００５−８４６５８号公報。
【発明の開示】
【発明が解決しようとする課題】
【０００６】
上記の本格的防水式デジタルカメラ、防水式ノートパソコンによれば筐体と蓋体とから構成される防水ケースを備えている。この防水ケースは、その一面が開放された筐体内に固定式レンズ鏡胴、カメラ本体部品、液晶装置、電池、記憶媒体、パソコン本体他を内蔵した後に不動状態になるように固定し、一面を覆う蓋体との間の当接面に無端Ｏリングを介在させておき、無端Ｏリングの弾性変形により防水状態を維持できるように構成することが一般的である。このように、蓋体を筐体に対して着脱可能にすることで修理に対応できるようにしている。また、上記の無端Ｏリングを筐体側と蓋体側に夫々設けておき二重シール構造とすることでより防水状態を確実に確保する場合もある。
【０００７】
しかしながら、無端Ｏリングは、横断面形状が円形であるために防水のためのシール作用面が小さくなる。さらに、成形時のパーテング面にバリが残ると、この影響で防水性能が損なわれる場合がある。また、永久歪により長期間に渡り防水性能を維持できなくなることから、例えば修理の際には、新しい無端Ｏリングに交換されることになるので、取り外しおよび取り付け作業が加わるので面倒となる場合がある。
【０００８】
したがって、本発明は上記の問題点に鑑みて成されたものであり、無端Ｏリングに比較して防水のためのシール作用面を大きくすることができ、長期間に渡り防水性能を維持でき、かつまた修理を含む繰り返しの使用にも十分に耐えることのできる防水式電子機器の提供を目的としている。
【課題を解決するための手段】
【０００９】
上述した課題を解決し、目的を達成するために、本発明によれば、一面が開放された筐体（３、図９を参照）と、前記筐体の開放面を覆う蓋体（９）と、前記筐体と前記蓋体との間の係合面に配設される無端シール部材（４５）と、を含む防水式電子機器であって、前記無端シール部材は、弾性素材から構成され、前記係合面に対して垂直な面による断面形状が溝部を有する略凹形状に形成されており、前記筐体及び前記蓋体の一方の係合面に、前記無端シール部材を収容する収容溝部（４０）が連続して形成され、前記筐体及び前記蓋体の他方の係合面に、前記無端シール部材の前記溝部に嵌入する突起部（３ｋ）が連続して形成され、前記収容溝部内に前記無端シール部材が挿入されており、前記突起部を前記溝部に嵌入させることで二重のシール機能が確保されることを特徴としている。
【００１０】
また、前記弾性素材は、天然ゴム、化学合成ゴム、高分子樹脂素材、シリコン系ゴム、エラストマーを含むことを特徴としている。
【００１１】
また、前記収容溝部及び前記突起部は、前記筐体及び前記蓋体の縁部に夫々連続形成されることを特徴としている。
【００１２】
また、前記無端シール部材を、前記溝部を有する略凹形状に形成するために、底部（４６、図１０を参照）と、前記底部の両側から延設される第１延設部（４７）と第２延設部（４８）とを有し、さらに、前記第１延設部と前記第２延設部の対向面において、第１山部（４９）および第２山部（５０）の少なくとも一方を形成し、前記突起部が前記溝部に嵌入されると、前記第１山部および前記第２山部の少なくとも一方を回動支点として、前記第１延設部の端部および前記第２延設部の端部の少なくとも一方が前記突起部に向けて回動されることで前記シール機能がより高められることを特徴としている。
【００１３】
また、前記筐体と前記蓋体とは樹脂材料を用いて射出成形され、前記突起部が前記無端シール部材の前記溝部に嵌入された固定状態を維持し、かつ着脱可能とするための複数の固定部（４１）を、前記筐体と前記蓋体の縁部に設けたことを特徴としている。
【００１４】
また、前記固定部は、小ネジを含む締結部材を用いて共締めされる化粧パネル（２）をさらに含むことを特徴としている。
【００１５】
また、前記防水式電子機器は、前記筐体と前記蓋体とにより防水されるデジタルカメラ、ビデオカメラを含む光学装置であり、前記蓋体は、前記光学装置に設けられる液晶表示面（１０、図１を参照）を覆うために光透過性の樹脂材料を用いて射出成形され、また、前記筐体はストロボ発光面（５）を覆うために光透過性の樹脂材料を用いて射出成形されることを特徴としている。
【発明の効果】
【００１６】
本発明によれば、一面が開放された筐体と、筐体の開放面を覆う蓋体と、筐体と蓋体との間の係合面に配設される無端シール部材とを備え、係合面に形成される突起部を無端シール部材の溝部に嵌入させることにより二重のシール機能が確保される防水式電子機器を提供することができる。
【発明を実施するための最良の形態】
【００１７】
以下に本発明の好適な各実施形態について、添付図面を参照して説明する。
【００１８】
ここで、以下の実施形態では防水式光学装置として、撮影用レンズ部が沈胴するタイプであって、撮影レンズが光学ズーム系を備えた円筒形状の沈胴式レンズ鏡胴を備えたデジタルカメラについて主に述べる。しかし、このように構成されるデジタルカメラに限定されず、固定焦点式の撮影レンズを備えたデジタルカメラあるいはプリズム光学系を採用することで外部に突出しない光学ズーム系を備えたデジタルカメラにも適用可能である。
【００１９】
さらに、防水式光学装置として、ビデオカメラにも適用可能であることは言うまでもなく、特に修理のために筐体から蓋体を取り外し、筐体内部に固定された本体装置へのアクセスを可能に構成する場合に特に望ましい。
【００２０】
また、防水式電子機器としては、ノートパソコンの他に、各種ゲーム機、携帯電話などが挙げられるが、これらの機器の他にも適用可能である。特に、上記の防水式光学装置と同様に、修理のために筐体から蓋体を取り外し、筐体の内部に固定された本体装置へのアクセスを可能にする場合に望ましいことになる。さらに、製造工程を考えると、組み付け工程が容易となるので非常に有効な構成が提供されることとなる。
【００２１】
また、防水式光学装置または防水式電子機器において、電池交換を行ったり、記憶媒体の交換を行ったり、外部接続端子と外部装置との間でコネクタ接続を行うために、筐体に開口部を形成し、この開口部を防水状態で開閉自在にするための蓋組立体を備える場合にも、有効な構成が提供されることとなる。
【００２２】
すなわち、長期間に渡り蓋組立体の防水性能を維持でき、かつまた繰り返しの蓋組立体の開閉に十分に耐えることのできる二重のシール機能が確保される構成が提供されることとなる。
【００２３】
以下に、防水式光学装置および防水式電子機器として、撮影用レンズ部が沈胴するタイプの光学ズーム系を備えた円筒形状の沈胴式レンズ鏡胴を備えた防水式デジタルカメラ１で代表して詳細に述べる。
【００２４】
図１(ａ)は、防水沈胴レンズ鏡胴７を備えた防水式デジタルカメラ１の化粧パネル２を一部残して図示した平面図である。また、図１（ｂ）は、この防水式デジタルカメラ１の化粧パネル２を一部残して図示した背面図である。
【００２５】
先ず、図１(ａ)において、防水式デジタルカメラ１は、透明樹脂材料を用いて射出成形される筐体３の上に、金属板製の化粧パネル２を設けている。この化粧パネル２は後述するように着脱可能に設けられている。筐体３の前面壁には、円形の開口部３ｆが形成されており、この開口部３ｆから突出する突出位置と、この開口部３ｆまで退避する退避位置との間で往復駆動される円筒形状の防水沈胴式レンズ鏡胴７を備えている。
【００２６】
この防水沈胴式レンズ鏡胴７には、防水レンズ８が沈胴式レンズ鏡胴の対物レンズに対向して内蔵されている。筐体３の前面壁には、オートフォーカス用レンズ６と、内蔵ストロボ５とが開口部３ｆの上方に夫々配置されており、筐体３で防水されて覆われている。以上のオートフォーカス用レンズ６と内蔵ストロボ５は透明の筐体３で覆われることで光線の出入りが可能になるようにしている。
【００２７】
また、筐体３の上面壁にはシャッター操作を行うために押圧されるレリーズボタン４が防水状態で不図示のラバーキーを介して設けられている。また、筐体３の下面壁には内蔵される電池交換を行ったり、記憶媒体の交換を行ったり、外部接続端子と外部装置との間でコネクタ接続を行うために開閉自在に設けられた蓋組立体２０が防水状態で設けられている。具体的には、蓋組立体２０は、蓋本体２１を図中の左方向にスライドさせることで開くことができ右方向にスライドさせて係止できるように構成されている。
【００２８】
次に、図１(ｂ)において、防水式デジタルカメラ１の背面壁には大型液晶表示装置１０が設けられている。また、この大型液晶表示装置１０の右隣には、ズーム操作キー１１と、各種操作キー１２、１４と十字キー１３とが図示のように上下に配置されている。また、これらの各キーは、キー用ラバーシート１５を被せることで防水状態となるように蓋体９に設けられている。一部を残して図示した化粧パネル２は、透明樹脂材料を用いて射出成形される蓋体９上に後述するように着脱可能に固定または接着される。この化粧パネル２には、上記の大型液晶表示装置１０を外部から見えるようにするための大型の開口部と上記の各キーを外部から操作可能にするための開口部が穿設されている。
【００２９】
尚、上記の筐体３および蓋体９は透明度に優れるアクリル系の樹脂材料から成形することが望ましいが、これに限定されずポリカーボネイト、ポリプロピレン、ガラス入り樹脂などから成形することも可能である。
【００３０】
以上のように構成される防水式デジタルカメラ１によれば、ＪＩＳ規格の７級程度の防水性能を備えることで、水深１ｍ程度の水中撮影を可能にした本格的な防水式デジタルカメラが提供されることとなる。次に、筐体３の下面壁に配設される蓋組立体２０について図２を参照して述べる。
【００３１】
＜蓋組立体２０の防水構造＞
図２（ａ）は、防水デジタルカメラ１の底面で開閉自在に設けられた蓋組立体２０が係止された状態を図示した底面図、図２（ｂ）は、蓋組立体２０の係止が解除された状態を図示した底面図、図２（ｃ）は、蓋組立体２０が防水デジタルカメラ１から開かれて開口部２２が露出された状態を図示した底面図である。
【００３２】
先ず図２（ａ）において、筐体の底面壁には蓋組立体２０を図中の左方向にスライド可能にするための形状部３ａが凹状に形成されている。この形状部３ａ中に蓋組立体２０が位置しており、係止状態に維持されることで、図２(ｃ)に図示する筐体３の開口部２２を水密状態で塞ぐようにしている。この蓋組立体２０の蓋本体２１には指先が引っかかる突起部２１ａが一体形成されており、この突起部２１ａを指先で図２(ｂ)に図示する矢印方向に移動できるように構成されている。また、蓋本体２１には孔部２１ｄを図示のように複数箇所穿設した凹部が形成されており、この凹部内に化粧パネル２を配置し接着するようにして、カメラ全体の外観を損なわないようにしている。
【００３３】
図２(ｃ)において、筐体３の開口部２２内には、２本の小型電池１６が極性を互い違いにしてセットされている。また、テレビに直接接続するＡＶ端子１８と、撮影画像の記憶を行う記憶媒体１７とがさらに内蔵されている。電池１６の交換、外部接続端子と外部装置との間でのコネクタ接続を行うためには、図２(ｂ)に図示の状態から蓋組立体２０が回動されることで、開口部２２が開口される状態にされる。このため、蓋組立体２０には筐体３の形状部３ａ内で小ネジ２９を用いて一片が固定される蝶番部材２８が固定され、他片が蓋本体２１に対してスライド機構を介して固定される。
【００３４】
次に、図３（ａ）は、図２(ａ)のＸ-Ｘ線矢視断面図、図３（ｂ）は、図２(ｂ)のＸ-Ｘ線矢視断面、図３(ｃ)は、図２(ｃ)のＸ-Ｘ線矢視断面である。本図において、既に説明済みの構成または部品については同様の符号を附して説明を割愛すると、開閉スライド機構により回動および係止可能に設けられた蓋本体２１の下方にはシール体３０が設けられている。このシール体３０は、図３(ａ)に図示されるように開口部中に位置しており、開口部２２がシール状態を維持できるようにしている。
【００３５】
また、開口部の他端に形成される第１係止部２３と蓋本体２１に形成される第１非係止部２７とが係止され、さらに開口部の一端に形成される第２係止部２４が蓋本体２１に形成される第２非係止部２５に対して同時に係止されることで、蓋本体２１が不動状態に維持できるように構成されている。
【００３６】
この状態から、図３（ｂ）に図示のように蓋本体２１を左方向にスライドさせると上記の係止状態が同時に解除されるが、スライド機構によりシール体３０は開口部中に位置している。
【００３７】
図３(ｂ)に図示の状態から図３(ｃ)に図示のように蓋本体２１を把持して蝶番部材２８周りに回動させると、シール体３０は開口部２２から大きく離れる状態になる。そこで、上記のように極性を互い違いにしてセットされている２本の小型電池１６を交換したり、テレビに接続コードを介してＡＶ端子１８と接続したり、記憶媒体１７の交換を行えるようにしている。
【００３８】
図４（ａ）は、蓋組立体２０が係止された状態を図示した中心断面図、図４（ｂ）は、蓋組立体２０の係止が解除された状態を図示した中心断面図である。本図において、既に説明済みの構成または部品については同様の符号を附して説明を割愛すると、開閉スライド機構を構成する蝶板部材２８はステンレス板３３を含む金属薄板製であり、図４(ｂ)に図示されるフック部３４を一体形成している。
【００３９】
一方、蓋本体２１の下面にはフック部３４が弾性変形して入り込む形状を有した第１凹部３１と第２凹部３２とが、スライドのストローク分離間されて形成されている。
【００４０】
以上の構成により、蓋部材２１のスライド時のクリック感が出るようにするとともに、振動などで係止状態が解除されないように構成されている。
【００４１】
また、蓋部材２１の下方には蝶板部材２８を介在させて、シール体３０が設けられている。このシール体３０は、蓋本体２１の下方に設けられるスペーサ部材３７と、このスペーサ部材３７の下方に設けられるシール形状部材３５と、このシール形状部材３５の下方に設けられる支持部材３６とから構成されている。
【００４２】
シール形状部材３５は、図中破断して図示したように、弾性材料から構成され、平坦部とそれに続く傾斜部を形成している。また、支持部材３６と、スペーサ部材３７は樹脂または金属板材料から構成されることで、シール形状部材３５の平坦部を上下から保持することで傾斜部のみが均等に蓋本体２１側に向けて弾性変形できるようにしている。
【００４３】
このシール形状部材３５は、天然ゴム、化学合成ゴム、高分子樹脂素材、シリコン系ゴム、エラストマー、テフロン（登録商標）系ゴム、フッ素ゴム、を用いて一体成形することができる。表面にテフロン（登録商標）処理を含む潤滑処理、撥水処理を施すとより良い。
【００４４】
図５は、上記の蓋組立体２０の立体分解図である。
【００４５】
本図において、既に説明済みの構成または部品については同様の符号を附して説明を割愛すると、蝶板部材２８の一片をなすステンレス板３３には、蓋本体２１の下面に一体樹脂成形を含む方法で形成された案内溝２１ｃ、２１ｃに夫々潜入される案内部３３ｃ、３３ｃが穿設されている。また、上記のフック部３４は案内部３３ｃより幅広の開口部３３ｂの一部から一体形成されている。
【００４６】
また、ステンレス板３３と、スペーサ部材３７と、シール形状部材３５の平坦部３５ｃには複数の孔部３３ａ、３５ａ、３７ａとが対応位置に夫々穿設されており、支持部材３６に一体成形される複数のスタッド３６ａを、各挿通した後に、ステンレス板３３の孔部３３ａから少し出たスタッド３６ａの先端を焼き止めする（図６(ｂ)を参照）ことにより、ステンレス板３３に対して、相対移動できるようにしている。また、スペーサ部材３７の外周面３７ｃの形状を、シール形状部材３５の平坦部３５ｃの外周縁と同じ形状にすることで傾斜部３５ｂが均一に変形できるようにするとともに、この外周面３７ｃがバックアップ面として機能するように構成されている。
【００４７】
さらに、図６(ａ)は、蓋組立体２０の立体分解図、図６(ｂ)は、蓋組立体２０の組み付け後の要部断面図、図６(ｃ)、図６(ｄ)は、別実施形態の蓋組立体２０の一部を夫々図示した立体分解図である。
【００４８】
本図において、既に説明済みの構成または部品については同様の符号を附して説明を割愛すると、図６(ａ)において、蓋本体２１の上面には化粧パネル２を接着するための凹面２１ｋ形成されており、孔部２１ｄを隠すとともに防水を図っている。また、蝶番部材２８はピン２８ａが圧入されている。また、図６(ｂ)において、ステンレス板３３の孔部３３ａから少し出たスタッド３６ａの先端を焼き止めすることで、固定するとともにこの焼き止めした部分が上記の孔部２１ｄに入るようにしている。
【００４９】
また、図６(ｃ)において、筐体３側に蝶板部材の回動孔部３ｔを一体成形しておき、ステンレス板をピン２８ａを用いて回動軸支するように構成しても良い。
【００５０】
そして、図６(ｄ)において、シール形状部材３５とスタッド３６ａを一体的に設けた支持部材３６とを２色成形しても良い。
【００５１】
図７(ａ)は、シール形状部材３５の成形金型１０１、１０２と、この成形金型１０１、１０２で成形されたシール形状部材３５が設けられた蓋部材２０が開口部の内周面２２ａとスペーサ部材３７との間で挟持される様子を図示した要部断面図、図７(ｂ)はＯリング２００の成形金型２０１、２０２と、この成形金型２０１、２０２で成形されたＯリング２００が設けられた蓋部材２０が開口部の内周面２２ａとの間で挟持される様子を、比較のために図示した要部断面図である。
【００５２】
上記のシール形状部材３５は、シール形状部材３５の成形のためのキヤビティＣを備えた成形金型１０１、１０２を用いて、図示のようなパーテング面３５Ｐとなるように一体成形される。このパーテング面３５Ｐは、傾斜部３５ｂの縁部３５ｆの近傍に位置する。この結果、シール形状部材３５が設けられた蓋部材２０が開口部の内周面２２ａとスペーサ部材３７との間で傾斜部が図示のように挟持されると、パーテング面３５Ｐはシール面となる部位から外れるようにできる。
【００５３】
このため、たとえ成形精度が悪くパーテング面３５Ｐにバリなどが発生してもシールの影響を受けないようにすることができる。
【００５４】
これに対して、比較のために図示した図７(ｂ)において、Ｏリング２００は成形金型２０１、２０２から、図示のパーテング面２００Ｐとなるように一体成形される。このパーテング面２００Ｐは、蓋部材２０が開口部の内周面２２ａに当接するシール面となる部位に成形される。このため、成形精度が悪くパーテング面２００Ｐにバリなどが発生する場合には、バリの影響でシール機能が損なわれ、永久歪の影響も受けることとなる。
【００５５】
以上説明したように、スライド機構を構成する蝶板部材２８とステンレス板３３により開口部の他端に向けて蓋本体２１をスライド可能に案内でき、筐体に対して係止可能に設けることができ、かつ開口部を閉塞するときに、シール形状部材３５の傾斜部３５ｂが開口部の内周面２２ａと密着されることでシール機能が確保される。
【００５６】
また、蓋組立体を回動させ、スライドさせて筐体に形成された開口部を閉塞するときに、弾性材料から構成され平坦部とそれに続く傾斜部を形成したシール形状部材が開口部の内周面と密着されることでシール機能が確保される。また、繰り返しの開閉にも十分に耐えるようにできる。
【００５７】
なお、上記の構成例では、開口部２２は、筐体の底面壁に形成され、開閉スライド機構は蓋本体を開口部の他端から筐体の側面側に向けてスライド可能にする構成について述べたが、これに限定されず、開口部は筐体表面のどの部位に設けても良い。
【００５８】
また、筐体に内蔵される電池（図２(ｃ)を参照、１６）交換を可能にするために、支持部材３６には電池接点部材（不図示）が固定されることとなるが、電池接点部材を支持部材にインサート成形しても良い。また、電池接点を側面に設けた小型箱型の専用充電式電池によれば、筐体内部に上記電池接点に接触する接点を内蔵しておけば良い。
【００５９】
＜筐体と蓋体と無端シール部材による防水構造＞
続いて、図８(ａ)は、蓋体９が筐体３に嵌合される前の様子を図示した防水式デジタルカメラ１の蓋体９の正面図、図８(ｂ)は筐体３の背面図である。
【００６０】
本図において、既に説明済みの構成または部品については同様の符号を附して説明を割愛すると、図８(ｂ)において、筐体３は一面が開放されており上記の開口部３ｆを前壁部に形成している。この筐体３の４辺の縁部は所定厚みを有して紙面手前がわに延設されており、突起部３ｋを全周縁部に形成している。
【００６１】
また、図８(ａ)において、この筐体３の開放面を覆う蓋体９が着脱可能に設けられており、上記の大型液晶表示装置１０と破線図示の防水キーラバーシート１５を覆うようにしている。蓋体９を着脱可能とするための複数の固定部４１が所定間隔で縁部において一体成形されている。この固定部４１を筐体３の固定溝３ｇ中にセットして嵌合を含む方向で固定するように構成されている。
【００６２】
筐体３と蓋体９の縁部の各係合面は、互いに平行かつフラットにされており、後述の無端シール部材４５を破線図示の収容溝部４０にセットすることで、組み付け後のシール状態を維持できるようにしている。
【００６３】
ここで、収容溝部４０を蓋体９の縁部に形成し、突起部３ｋを筐体３の縁部に形成する様子を図示してあるが、これとは逆に収容溝部４０を筐体３の縁部に形成し、突起部を蓋体９の縁部に連続形成する構成でも良い。
【００６４】
次に、図９(ａ)は、蓋体９と化粧パネル２が筐体３に共締めされる様子を図示した図８(ｂ)のＸ-Ｘ線矢視断面図、図９(ｂ)はＸ-Ｘ線部分を上方から見た平面図である。
【００６５】
本図において、無端シール部材４５は、弾性素材から構成され、図示のように係合面に対して垂直な面による断面形状が溝部を有する略凹形状に形成されており、蓋体９の収容溝部４０にセットされることで、その溝部が外部に現れるようにされる。また、筐体３の他方の係合面には、この無端シール部材４５の溝部４５ａに嵌入する横断面形状を有した突起部３ｋが連続形成されている。
【００６６】
以上の構成において、後述するように互いにセットした後に、固定部４１が固定溝３ｇ中にセットされ、筐体３のネジ孔３ｊに螺合される小ネジ２９を含む締結部材を化粧パネル２の孔部２ｃにセットして共締め状態で固定される。
【００６７】
このように収容溝部４０内に無端シール部材４５を挿入し突起部３ｋを溝部に嵌入させることでシール機能が確保される。この無端シール部材４５を成形するために使用される弾性素材としては、天然ゴム、化学合成ゴム、高分子樹脂素材、シリコン系ゴム、エラストマー等が挙げられる。
【００６８】
次に、図１０(ａ)は、無端シール部材４５が連続凹部４０に挿入される様子を図示した横断面図、図１０(ｂ)は、無端シール部材４５が挿入後に突起部３ｋが潜入される様子を図示した横断面図、図１０(ｃ)は、無端シール部材４５の溝部中に突起部３ｋが潜入されてシール状態になった様子を図示した横断面図、図１０(ｄ)は、シール作用を説明した横断面図である。
【００６９】
先ず、図１０(ａ)において、無端シール部材４５を溝部を有する略凹形状に形成するために、底部４６と、この底部４６の両側から延設される第１延設部４７と第２延設部４８とを有している。また、各第１延設部４７と第２延設部４８の先端部は上記のシール形状部材３５と同じくパーテング面にバリが発生しないように丸みを付けている。
【００７０】
以上のように準備される無端シール部材４５によれば、無端Ｏリングとの比較において防水のためのシール作用面を大きくできる。さらに、成形時のパーテング面にバリが残っても、この影響で防水性能が損なわれることがない。また、永久歪により長期間に渡り防水性能を維持できるので、例えば修理の際でも新しいものに交換する必要がなくなり、かつ繰り返しの使用にも十分に耐えることができる。
【００７１】
引き続き図１０(ａ)において、第１延設部４７と第２延設部４８からは、互いの対向面に第１山部４９および第２山部５０が形成されている。
【００７２】
図１０(ｄ)において、突起部３ｋが溝部４５ａ中に嵌入されると、第１山部４９および第２山部５０を回動支点として、第１延設部４７の端部および第２延設部４８の端部が矢印方向に突起部３ｋに向けて回動される。この結果、シール機能がより高められることとなる。ここで、第１山部４９および第２山部５０はいずれか一方を備えていれば十分となる場合もある。また、第１山部４９および第２山部５０はなくとも良く、これに代えて山部を突起部３ｋに形成しても良い。
【００７３】
図１１(ａ)は、蓋体９が筐体３に固定される様子を図示した外観斜視図、図１１(ｂ)は、別実施形態の蓋体９が筐体３に固定される様子の一部を図示した外観斜視図、図１１(ｃ)は、蓋体９と化粧パネル２が筐体３に対して小ネジで共締めされる様子を図示した要部断面図である。
【００７４】
本図において、既に説明済みの構成または部品については同様の符号を附して説明を割愛すると、先ず、図１１(ａ)において蓋体９の固定部４１には孔部４１ｈが形成されており、筐体３の側面において対応する位置に形成された爪部３ｈに対して各孔部４１ｈが嵌合されることで、所謂パチン嵌合により固定するように構成されている。
【００７５】
また、図１１(ｂ)において、筐体３の側面にはネジ孔部３ｕが形成されており、蓋体９の固定部４１に小ネジを通すことで、螺合により固定するように構成されている。
【００７６】
さらに、図１１(ｃ)において、表面と裏面の化粧パネル２を一部重ねた状態から、筐体３の側面のネジ孔部３ｕに対して小ネジにより共締めするように構成されている。
【００７７】
以上説明したように、防水のためのシール作用面を大きくすることができ、長期間に渡り防水性能を維持できる。また修理を含む繰り返しの使用にも十分に耐えることのできる防水式電子機器に最適な構造が提供される。
【００７８】
＜防水沈胴レンズ鏡胴の構成＞
図１２(ａ)は、防水沈胴レンズ鏡胴７が退避位置に移動している中心断面図、図１２(ｂ)は、防水沈胴レンズ鏡胴７が突出位置に移動している中心断面図である。
【００７９】
先ず、図１２(ａ)において、筐体３の前面壁には円筒形状の開口部３ｆが形成されており、この開口部３ｆから内部に向けて内周面３ｍが形成されている。また、その内部に対物レンズ６０ａを有したズーム光学系６０を備え、カバー６５で覆われた沈胴式レンズ鏡胴６１が内蔵されており、不図示のシャッターおよび絞りを介して静止画像および動画像をＣＣＤ素子５６上に結像するように構成されている。
【００８０】
この沈胴式レンズ鏡胴６１は、ズームキー１１の操作に伴い、図１２(ｂ)に図示した突出位置に駆動される。このため、サーボモータ５７がＣＣＤ素子５６の隣に固定されており、このサーボモータ５７への所定駆動により、沈胴式レンズ鏡胴６１が突出位置と退避位置との間で、往復駆動および停止されるように構成されている。
【００８１】
一方、対物レンズ６０ａに対向配置される防止レンズ８をその前面に防水状態で内蔵するとともに、沈胴式レンズ鏡胴６１と同心円状に形成される円筒状の外周壁７ｂを有した防水沈胴レンズ鏡胴７がＯリング６２を介して沈胴式レンズ鏡胴６１の前縁部に固定されている。
【００８２】
また、外周壁７ｂと開口部３ｆの内周面３ｍの間に介在されることで、防水レンズ鏡胴７の停止時及び往復駆動時に防水状態に維持するための無端リップシール５５が固定リング部材６３を用いて図示のように固定されている。
【００８３】
この無端リップシール５５は、図示のように開口部３ｆに向けて傾斜された傾斜面を有するように弾性素材から構成されるとともに、この傾斜面が防水沈胴レンズ鏡胴７の外周壁７ｂに対して摺接して図中の破線図示の位置から実線図示の位置に弾性変形できるように構成および取り付けられている。このようにすることで沈胴式レンズ鏡胴６１が突出位置と退避位置との間で往復駆動および停止されるときに、防水沈胴レンズ鏡胴７の外周壁７ｂとの間に隙間が一切発生しないようにしてスライドシール構造を構成している。
【００８４】
このように防水沈胴レンズ鏡胴７の外周壁７ｂとの間に隙間が一切発生しないようにするために、外周壁７ｂの仕上げ面を鏡面仕上げし、さらにテフロン（登録商標）樹脂他の焼き付け塗装を含む潤滑処理、撥水処理を施すと良い。また、外周壁７ｂは外部に露出されるが、このとき傷などが付くと隙間発生の原因となるので、少なくとも外周壁７ｂはステンレス等の金属製とし防水沈胴レンズ鏡胴７の残りの部分を樹脂成形するインサート成形とするとより良い。
【００８５】
また、無端リップシール５５を成形するための弾性素材は、天然ゴム、化学合成ゴム、高分子樹脂素材、シリコン系ゴム、エラストマー、テフロン（登録商標）系ゴム、フッ素ゴム等が使用可能となる。また、特に上記のようにパーテング面がシール面とならないように成形されると良い。また、長期間に渡る弾性力を維持するために金属製バンドをインサート成形すると良い。あるいは、傾斜部のシール面を２重、３重にして、ワイパー機能を持たせても良いこととなる。
【００８６】
図１３は、図１２の防水沈胴レンズ鏡胴７を備えた防水デジタルカメラの要部を図示した立体分解図である。本図において、既に説明済みの構成または部品については同様の符号を附して説明を割愛すると、筐体３の開口部３ｆの内側周面において破線図示のネジ孔３ｐが形成されている。また、固定リング部材６３にはネジ孔３ｐに対応する位置にネジ孔部が一体成形されており、筐体３との間に無端リップシール５５を介在させて固定するように構成されている。
【００８７】
一方、防水レンズ８を内蔵した防水沈胴レンズ鏡胴７の前縁部にはネジ孔が穿設されており、沈胴式レンズ鏡胴６１の前縁部に形成されたネジ孔６１ａに対してＯリング６２を介在させて小ネジ２９を用いて一体的に固定するように構成されている。
【００８８】
以上のように構成することで、サーボモータ５７への所定駆動により沈胴式レンズ鏡胴６１を突出位置と退避位置との間で往復駆動および停止するための駆動力を、そのまま用いることが可能となる。このためサーボモータ５７の定格を１ランクアップすると良く、これによりスライド面に加わるシール負荷に対応できるようになる。
【００８９】
なお、上記構成は、既存のデジタルカメラへ必要最小限の改造を加えて構成可能となる場合について述べたものであり、この構成に限定されないことは言うまでもない。
【００９０】
ところで、図１３に図示されるように筐体３の一面が開放され、筐体の開放面を覆うために上記の蓋体９を設け、筐体と蓋体との間の係合面に無端シール部材４５を設けることで筐体内部を完全防水状態に維持すると、防水沈胴式レンズ鏡胴７の往復駆動に伴って発生する筐体内部の容積変化分により内部の気圧変化が発生する。
【００９１】
このため、防水沈胴式レンズ鏡胴７の駆動に過剰な負荷が加わるとともに、内部が負圧状態になると、水の浸入を防止できなくなる。そこで、防水沈胴式レンズ鏡胴７の移動に伴い発生する容積変化分の補完するための容積補完手段が必要となる。
【００９２】
図１４(ａ)は、防水沈胴レンズ鏡胴７が突出位置に移動したときに防水デジタルカメラ１に内蔵される可変容積部の様子を図示した要部破断図、図１４(ｂ)は防水沈胴レンズ鏡胴７が退避位置に移動したときの可変容積部の様子を図示した要部破断図である。
【００９３】
本図において、既に説明済みの構成または部品については同様の符号を附して説明を割愛すると、防水式デジタルカメラ１の内部には開口孔部７２に連通したシリンダ部７０が筐体３の底面で外気に連通するように内蔵されている。このシリンダ部７０の内部にはシール構造と倒れ防止部材とを備えたピストン７１がシールされて上下動可能に内蔵されている。
【００９４】
以上の構成において、防水沈胴レンズ鏡胴７が突出位置に駆動されると筐体内部が負圧状態になるにともない開口孔部７２を介してシリンダ部７０内部も負圧になるので、ピストン７１が図１４(ａ)に図示のように上昇する。このとき、水中使用の場合にはシリンダ部７０の開口部に固定された不図示の格子を介してシリンダ部７０内に水が入る。
【００９５】
一方、防水沈胴レンズ鏡胴７が退避位置に駆動されると筐体内部が正圧状態になるにともない開口孔部７２を介してシリンダ部７０内部も正圧になるので、ピストン７１が図示のように下降する。ピストン７１はこの位置でごみを進入させるためにシリンダ部７０の開口部に固定された不図示の格子に当接して停止する。このとき、水中使用の場合にはシリンダ部７０の開口部に固定された不図示の格子を介してシリンダ部７０内の水が外部に出る。
【００９６】
以上のようにピストン７１の上下動により、防水沈胴式レンズ鏡胴７の移動に伴い発生する容積変化分の補完を行うことで、防水沈胴式レンズ鏡胴７の駆動時に過剰な負荷が加わらず、特に内部が負圧状態になってしまい、水が筐体内部に浸入する事態を効果的に防止できるようになる。
【００９７】
次に、図１５(ａ)は、防水沈胴レンズ鏡胴７が突出位置に移動したときに防水デジタルカメラ１に内蔵される別実施形態の可変容積部の様子を図示した要部破断図、図１５(ｂ)は、防水沈胴レンズ鏡胴７が退避位置に移動したときの別実施形態の可変容積部の様子を図示した要部破断図である。
【００９８】
本図において、既に説明済みの構成または部品については同様の符号を附して説明を割愛すると、防水式デジタルカメラ１の内部には開口孔部８２に連通したゴムを含む弾性体からなる可変容積部８０がその縁部を固定部材８１を用いて筐体３の側面に固定されている。
【００９９】
以上の構成において、防水沈胴レンズ鏡胴７が突出位置に駆動されると筐体内部が負圧状態になるにともない開口孔部８２を介して可変容積部８０の内部も負圧になるので、図１５(ａ)に図示のように収縮する。このとき、水中使用の場合には格子を介して内部に水が入る。
【０１００】
一方、防水沈胴レンズ鏡胴７が退避位置に駆動されると筐体内部が正圧状態になるにともない開口孔部８２を介して可変容積部８０の内部も正圧になるので、図示のように拡張し格子に当接して停止し、水が外部に出る。
【０１０１】
以上のように可変容積部８０の縮小と拡張動作により、防水沈胴式レンズ鏡胴７の移動に伴い発生する容積変化分の補完を行うことで、防水沈胴式レンズ鏡胴７の駆動時に過剰な負荷が加わらず、特に内部が負圧状態になり水が筐体内部に浸入する事態を防止するように構成しても良い。
【０１０２】
さらに、図１６(ａ)は、別実施形態の可変容積部の様子を図示した要部破断図、図１６(ｂ)は、モータ駆動式の可変容積部の様子を図示した要部破断図、図１６(ｃ)は、ベローズ式の可変容積部の様子を図示した要部破断図である。
【０１０３】
本図において、既に説明済みの構成または部品については同様の符号を附して説明を割愛すると、図１６(ａ)には、ピストン７１の上下動により、防水沈胴式レンズ鏡胴７の移動に伴い発生する容積変化分の補完をより積極的に行う構成が図示されている。本図において、防水沈胴レンズ鏡胴７の側面には永久磁石８３が固定されており、ピストン７１には鉄を含む磁性体８４が内蔵されている。
【０１０４】
以上の構成により、防水沈胴レンズ鏡胴７の駆動にともない永久磁石８３により磁性体８４が吸引されることで、ピストン７１を追動させることが可能になる。
【０１０５】
また、図１６(ｂ)において、ピストン７１には筒体８８が内蔵されている。この筒体８８からはリードネジ８６の溝部８７に嵌合する突起部８８ａが形成されている。リードネジ８６はモータ８５によりギア駆動される。
【０１０６】
以上の構成によれば、防水沈胴式レンズ鏡胴７の移動に伴い発生する容積変化分の補完をモータ８５の正逆駆動でより効果的に行うことができる。
【０１０７】
そして、図１６(ｃ)において、上記の可変容積部８０に代えてその周面に多数の溝部を形成したベローズ９０が設けられており、図中の実線と破線図示の位置の間で収縮および拡張を行うようにして防水沈胴式レンズ鏡胴７の移動に伴い発生する容積変化分の補完を行うように構成されている。
【０１０８】
図１７(ａ)は、別実施形態の防水沈胴レンズ鏡胴７が退避位置に移動している中心断面図、図１７(ｂ)は、防水沈胴レンズ鏡胴７が突出位置に移動している中心断面図、図１７(ｃ)は、防水レンズ８側から見た外観斜視図である。
【０１０９】
本図において、既に説明済みの構成または部品については同様の符号を附して説明を割愛すると、図１７(ａ)において、無端リップシール５５は防水レンズ８を内蔵した防水レンズ鏡胴７の外周壁において奥側に固定されている。
【０１１０】
また、この無端リップシール５５はその傾斜面が開口部３ｆの内周面から筐体３の内部に向けて延設される円筒摺動面３ｗに対して摺接して、均等に弾性変形できるように設けられている。
【０１１１】
以上の構成によれば、円筒摺動面３ｗが外部に露出しないように構成できることから傷などの影響を受けにくくなる利点がある。しかしながら、水中使用時に円筒摺動面３ｗと防水沈胴レンズ鏡胴７の外周壁７ｂとの間の隙間に水が入ることとなる。
【０１１２】
水は表面張力で開口部３ｆの全体を塞ぐことがあるので、図１７(ｃ)に図示したように角部において、水切り用の面取り形状部３ｘを形成して表面張力を破壊して水Ｗを下方に流すようにしている。
【０１１３】
以上説明したように、レンズ鏡胴の外周壁と筐体の前面壁の開口部の内周面との間に介在される無端リップシール５５を用いることで、沈胴式レンズ鏡胴７の停止時及び往復駆動時においてシール機能が十分に確保される防水式光学装置を提供することができる。
【図面の簡単な説明】
【０１１４】
【図１】(ａ)は防水デジタルカメラ１の化粧パネル２を一部残して図示した平面図、（ｂ）は防水デジタルカメラ１の化粧パネル２を一部残して図示した背面図である。
【図２】（ａ）は防水デジタルカメラ１の底面で開閉自在に設けられた蓋組立体２０が係止された状態を図示した底面図、（ｂ）は蓋組立体２０の係止が解除された状態を図示した底面図、（ｃ）は蓋組立体２０が防水デジタルカメラ１から開かれて開口部２２が露出された状態を図示した底面図である。
【図３】（ａ）は図２(ａ)のＸ-Ｘ線矢視断面図、（ｂ）は図２(ｂ)のＸ-Ｘ線矢視断面、(ｃ)は図２(ｃ)のＸ-Ｘ線矢視断面である。
【図４】（ａ）は蓋組立体２０が係止された状態を図示した中心断面図、（ｂ）は蓋組立体２０の係止が解除された状態を図示した中心断面図である。
【図５】蓋組立体２０の立体分解図である。
【図６】(ａ)は蓋組立体２０の立体分解図、(ｂ)は組み付け後の要部断面図、(ｃ)、(ｄ)は別実施形態の蓋組立体２０の一部を夫々図示した立体分解図である。
【図７】(ａ)はシール形状部材３５の成形金型１０１、１０２と、この成形金型１０１、１０２で成形されたシール形状部材３５が設けられた蓋部材２０が開口部の内周面２２ａとスペーサ部材３７との間で挟持される様子を図示した要部断面図、(ｂ)はＯリング２００の成形金型２０１、２０２と、この成形金型２０１、２０２で成形されたＯリング２００が設けられた蓋部材２０が開口部の内周面２２ａとの間で挟持される様子を比較のために図示した要部断面図である。
【図８】(ａ)は蓋体９が筐体３に嵌合される前の様子を図示した防水デジタルカメラ１の蓋体９の正面図、(ｂ)は筐体３の背面図である。
【図９】(ａ)は蓋体９と化粧パネル２が筐体３に共締めされる様子を図示した図８(ｂ)のＸ-Ｘ線矢視断面図、(ｂ)はＸ-Ｘ線部分を上方から見た平面図である。
【図１０】(ａ)は無端シール部材４５が連続凹部４０に挿入される様子を図示した横断面図、(ｂ)は無端シール部材４５が挿入後に突起部３ｋが潜入される様子を図示した横断面図、(ｃ)は無端シール部材４５の溝部中に突起部３ｋが潜入されてシール状態になった様子を図示した横断面図、(ｄ)はシール作用を説明した横断面図である。
【図１１】(ａ)は蓋体９が筐体３に固定される様子を図示した外観斜視図、(ｂ)は別実施形態の蓋体９が筐体３に固定される様子の一部を図示した外観斜視図、(ｃ)は蓋体９と化粧パネル２が筐体３に対して小ネジで共締めされる様子を図示した要部断面図である。
【図１２】(ａ)は防水沈胴レンズ鏡胴７が退避位置に移動している中心断面図、(ｂ)は防水沈胴レンズ鏡胴７が突出位置に移動している中心断面図である。
【図１３】図１２の防水沈胴レンズ鏡胴７を備えた防水デジタルカメラの要部を図示した立体分解図である。
【図１４】(ａ)は防水沈胴レンズ鏡胴７が突出位置に移動したときに防水デジタルカメラ１に内蔵される可変容積部の様子を図示した要部破断図、(ｂ)は防水沈胴レンズ鏡胴７が退避位置に移動したときの可変容積部の様子を図示した要部破断図である。
【図１５】(ａ)は防水沈胴レンズ鏡胴７が突出位置に移動したときに防水デジタルカメラ１に内蔵される別実施形態の可変容積部の様子を図示した要部破断図、(ｂ)は防水沈胴レンズ鏡胴７が退避位置に移動したときの別実施形態の可変容積部の様子を図示した要部破断図である。
【図１６】(ａ)は別実施形態の可変容積部の様子を図示した要部破断図、(ｂ)はモータ駆動式の可変容積部の様子を図示した要部破断図、(ｃ)はベローズ式の可変容積部の様子を図示した要部破断図である。
【図１７】(ａ)は別実施形態の防水沈胴レンズ鏡胴７が退避位置に移動している中心断面図、(ｂ)はこの防水沈胴レンズ鏡胴７が突出位置に移動している中心断面図、(ｃ)は防水レンズ８側から見た外観斜視図である。
【符号の説明】
【０１１５】
１  防水デジタルカメラ
２  化粧パネル
３  本体
３ａ  電池蓋収容部
４  レリーズボタン
５  内蔵ストロボ
６  ＡＦレンズ
７  防水沈胴レンズ鏡胴
８  防水レンズ
９  蓋体
１０  大型液晶装置
１１  ズーム操作キー
１２、１４  操作キー
１３  十字キー
１５  キー用防水ラバーシート（図１）
１６  単三電池
１７  ＳＤメモリー媒体
１８  ＡＶ端子
１９  ＵＳＢ端子
２０  蓋組立体
２１  電池蓋本体
２１ａ  突起部
２１ｃ  支持形状部
２１ｄ  長孔部
２２  開口部
２３  第１係止部
２４  第２係止部（図２）
２５  第２非係止部
２７  第１非係止部
２８  蝶番部材（スライド機構）
２８ａ  蝶番ピン
２９  小ネジ
３０  シール体（図３）
３１  第１凹部
３２  第２凹部
３３  ステンレス板部材（スライド機構）
３４  フック部
３５  シール部材
３５ａ  取付け孔部
３５ｂ  傾斜部
３５ｆ  縁部（図７）
３６  電池接点取り付け蓋部材
３６ａ  スタッド部
３７  スペーサ部材（図４、図５、図６、図７）
１０１、１０２、２０１、２０２  成形金型
３５ｐ、２００ｐ  パーテングライン（バリ）
Ｃ  キャビティ
４０  連続凹部（図８）
４１  延設部
４１ａ  固定用孔部
３ｇ  溝部（図９）
４５  シール部品
４６  底部
４７  第１延設部
４８  第２延設部
４９  第１山部
５０  第２山部
３ｋ  突起部（図９、図１０）
５５  スライドシール部品
５６  ＣＣＤ
５７  サーボモ−タ
６０  ズームレンズ系
６１  沈胴レンズ鏡胴
６２  Ｏリング
６３  固定リング部材（図１２、図１３）
７０  シリンダ部
７１  ピストン（図１４）
７２  連通孔部
８０  可変容積部
８１  固定部材
８２  連通孔部（図１５）
【図１】
2008040348.tif 000003
【図２】
2008040348.tif 000004
【図３】
2008040348.tif 000005
【図４】
2008040348.tif 000006
【図５】
2008040348.tif 000007
【図６】
2008040348.tif 000008
【図７】
2008040348.tif 000009
【図８】
2008040348.tif 000010
【図９】
2008040348.tif 000011
【図１０】
2008040348.tif 000012
【図１１】
2008040348.tif 000013
【図１２】
2008040348.tif 000014
【図１３】
2008040348.tif 000015
【図１４】
2008040348.tif 000016
【図１５】
2008040348.tif 000017
【図１６】
2008040348.tif 000018
【図１７】
2008040348.tif 000019